【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
レンズ上方に配置された比較的遠方を見るための第１の屈折領域と、同第１の屈折領域よりも下方に配置され同第１の屈折領域よりも大きな屈折力を有する第２の屈折領域と、これら領域の間に配置され屈折力が累進的に変化する累進領域を備え、加入勾配（Ｄ）、加入度（ＡＤＤ）及び累進帯長さ（Ｌ）が次の関係式で示され、
Ｄ＝ＡＤＤ／Ｌ
同第１の屈折領域から第２の屈折領域にかけて加入度が徐々に付加されていくように加入勾配が設定された累進屈折力レンズにおいて、
前記累進領域の上方域における加入勾配はほぼ一定に推移し、前記遠用アイポイント位置よりも下側には存在しない所定の勾配変化点を不連続的に通過した後に前記累進領域の下方域に至り再びほぼ一定に推移するとともに、同遠用アイポイントにおける加入割合を累進帯長さ全体での加入に対して２１〜３２％とし、
累進帯長さ全長を１９ｍｍよりも長く設定する一方で、少なくとも前記第２の屈折領域に至る間の累進領域の下方域の加入勾配が次の関係式で示されることを特徴とする累進屈折力レンズ。
Ｄ＝ＡＤＤ／λ  （λを固有累進帯長さと定義する）
λ≦１９ｍｍ
【請求項２】
前記第１の屈折領域入り口の位置は前記遠用アイポイント位置よりも７〜１３ｍｍ上方に設定されていることを特徴とする請求項１に記載の累進屈折力レンズ。
【請求項３】
前記第２の屈折領域入り口の位置は前記遠用アイポイント位置よりも９〜１７ｍｍ下方に設定されていることを特徴とする請求項１又は２に記載の累進屈折力レンズ。
【請求項４】
前記累進領域の上方域の加入勾配の平均値と前記累進領域の下方域の加入勾配の平均値とが異なることを特徴とする請求項１〜３のいずれかに記載の累進屈折力レンズ。
【請求項５】
前記累進領域の上方域の加入勾配の平均値は前記累進領域の下方域の加入勾配の平均値よりも小さいことを特徴とする請求項４に記載の累進屈折力レンズ。
【請求項６】
前記遠用アイポイントは累進帯長さの１／３〜２／３の間にあることを特徴とする請求項１〜５のいずれかに記載の累進屈折力レンズ。
【請求項７】
プリズム屈折力の測定における水平位置は前記第１の屈折領域入り口と前記第２の屈折領域入り口の中間位置から±０．５ｍｍの範囲内にあることを特徴とする請求項１〜６のいずれかに記載の累進屈折力レンズ。
【請求項８】
プリズム屈折力の測定における水平位置は当該レンズのインセット量が３．０ｍｍよりも大きい場合には、近用アイポイントの耳側あるいは前記遠用アイポイントから鼻側に１．０ｍｍの範囲に設置することを特徴とする請求項１〜７のいずれかに記載の累進屈折力レンズ。
【手続補正２】
【補正対象書類名】明細書
【補正対象項目名】０００５
【補正方法】変更
【補正の内容】
【０００５】
上記課題を解決するために請求項１の発明では、レンズ上方に配置された比較的遠方を見るための第１の屈折領域と、同第１の屈折領域よりも下方に配置され同第１の屈折領域よりも大きな屈折力を有する第２の屈折領域と、これら領域の間に配置され屈折力が累進的に変化する累進領域を備え、加入勾配（Ｄ）、加入度（ＡＤＤ）及び累進帯長さ（Ｌ）が次の関係式で示され、
Ｄ＝ＡＤＤ／Ｌ
同第１の屈折領域から第２の屈折領域にかけて加入度が徐々に付加されていくように加入勾配が設定された累進屈折力レンズにおいて、前記累進領域の上方域における加入勾配がほぼ一定に推移し、前記遠用アイポイント位置よりも下側には存在しない所定の勾配変化点を不連続的に通過した後に前記累進領域の下方域に至り再びほぼ一定に推移するとともに、同遠用アイポイントにおける加入割合を累進帯長さ全体での加入に対して２１〜３２％とし、累進帯長さ全長を１９ｍｍよりも長く設定する一方で、少なくとも前記第２の屈折領域に至る間の累進領域の下方域の加入勾配が次の関係式で示されることをその要旨とする。
Ｄ＝ＡＤＤ／λ  （λを固有累進帯長さと定義する）
λ≦１９ｍｍ
また請求項２の発明では請求項１に記載の発明の構成に加え、前記第１の屈折領域入り口の位置は前記遠用アイポイント位置よりも７〜１３ｍｍ上方に設定されていることをその要旨とする。
また請求項３の発明では請求項１又は２の発明の構成に加え、前記第２の屈折領域入り口の位置は前記遠用アイポイント位置よりも９〜１７ｍｍ下方に設定するようにしたことをその要旨とする。
また請求項４の発明では請求項１〜３に記載のいずれかの発明の構成に加え、前記累進領域の上方域の加入勾配の平均値と前記累進領域の下方域の加入勾配の平均値とが異なるようにしたことをその要旨とする。
また請求項５の発明では請求項４に記載の発明の構成に加え、前記累進領域の上方域の加入勾配の平均値は前記累進領域の下方域の加入勾配の平均値よりも小さいことをその要旨とする。
また請求項６の発明では請求項１〜５のいずれかに記載の発明の構成に加え、前記遠用アイポイントは累進帯長さの１／３〜２／３の間にあることをその要旨とする。
また請求項７の発明では請求項１〜６のいずれかに記載の発明の構成に加え、プリズム屈折力の測定における水平位置は前記第１の屈折領域入り口と前記第２の屈折領域入り口の中間位置から±０．５ｍｍの範囲内にあることをその要旨とする。
また請求項８の発明では請求項１〜７のいずれかに記載の発明の構成に加え、プリズム屈折力の測定における水平位置は当該レンズのインセット量が３．０ｍｍよりも大きい場合には、近用アイポイントの耳側あるいは前記遠用アイポイントから鼻側に１．０ｍｍの範囲に設置することをその要旨とする。
【手続補正３】
【補正対象書類名】明細書
【補正対象項目名】０００６
【補正方法】変更
【補正の内容】
【０００６】
上記のような構成では第１の屈折領域から第２の屈折領域にかけて加入度が徐々に付加されていくように加入勾配が設定された累進屈折力レンズにおいて累進帯長さ全長が１９ｍｍよりも長く設定されているにもかかわらず少なくとも第２の屈折領域に至るまでの累進領域の下方域の加入勾配におけるパラメータとして累進帯長さＬの代わりに固有累進帯長さλ≦１９ｍｍを使用して得られた値に設定している。そのため、特に第２の屈折領域に至る間の累進領域下方域での加入勾配を本来レンズに設定された所定の累進帯長さ（１９ｍｍよりも長い）から予定される加入勾配よりも大きく（つまり図３や図６において斜線の傾斜が緩）設定することが可能となる。
ここに加入勾配とは屈折力の変化、つまり加入度がどのように変化しているかを示す一般に中央基準線上において得られる指標値であって、加入勾配（Ｄ）、加入度（ＡＤＤ：単位はディオプタ）及び累進帯長さ（Ｌ：単位はｍｍ）とした場合に次の関係式で示される値である。
Ｄ＝ＡＤＤ／Ｌ
しかし、本発明では累進帯長さが１９ｍｍよりも長く設定されている設定されている累進屈折力レンズにおいて累進領域の下方域の加入勾配を次の関係式で示される値で設定したことが特徴である。
Ｄ＝ＡＤＤ／λ  （λ≦１９ｍｍ、λ：固有累進帯長さ）
更に、本発明では累進領域の上方域における加入勾配がほぼ一定に推移し、前記遠用アイポイント位置よりも下側には存在しない所定の勾配変化点を不連続的に通過した後に前記累進領域の下方域に至り再びほぼ一定に推移するとともに、同遠用アイポイントにおける加入割合を累進帯長さ全体での加入に対して２１〜３２％としていることが特徴である。
【手続補正４】
【補正対象書類名】明細書
【補正対象項目名】０００９
【補正方法】変更
【補正の内容】
【０００９】
上記請求項１〜８の発明では、近距離〜中距離における最適なレンズ特性となる累進屈折力レンズが得られるとともに、遠距離における見えにくさを調整することが可能となるため眼鏡装用者の要望に応じた最適な累進屈折力レンズを提供することが可能となる。
【手続補正５】
【補正対象書類名】明細書
【補正対象項目名】００１１
【補正方法】変更
【補正の内容】
【００１１】
（実施の形態１）
本実施の形態１は図１に示すようなレイアウトに従ってレンズ設計がなされている。同図においてＯは幾何中心、Ｅ１は遠用アイポイント、Ｅ２は近用アイポイント、Ｐ１は遠用入り口、Ｑ１は近用入り口、Ｐ２は遠用度数測定位置、Ｑ２は近用度数測定位置、Ｉはインセット量である。
ここに、遠用アイポイントは装用者が正面視をした場合に瞳中心を通る水平線（つまり視線）が通過する位置である。全距離について平均的に見え易く（逆にいうと、特定の距離を見えやすくしたものに比較して対応する個々の距離は相対的に見えにくい）設定したいわゆる遠近タイプの累進屈折力レンズでは遠用アイポイントＥ１は遠用入り口Ｐ１とほぼ一致する。しかし、中近タイプの累進屈折力レンズでは装用者は累進領域の下方域を特に頻繁に使用するため図１に示すように遠用入り口Ｐ１は遠用アイポイントＥ１よりも上方に設定される。
実施の形態１では遠用入り口Ｐ１は遠用アイポイントＥ１よりも４〜６ｍｍ上方位置に設定される。この範囲ならば装用者に上目使いでの遠望視を強要することにはならない。遠用度数測定位置Ｐ２は遠用入り口Ｐ１よりもわずかに上方に設定される。
また、実施の形態１では近用入り口Ｑ１は遠用アイポイントＥ１よりも１３〜１５ｍｍ下方位置に設定される。近用入り口Ｑ１は近用アイポイントＥ２と一致する。中近タイプの累進屈折力レンズでは、遠近タイプの累進屈折力レンズにくらべて装用者の近用視する比重が大きい。そのため、近用入り口は遠用アイポイントに近いほうが、近方視のための眼下方回旋を小さくできるので好ましい。しかしながら、近ければ近いほど良いわけではない。人間が机に向かって近業を行うとき、頭が自然に下を向いて目線も同時に下を向く。そうすれば、眼はおよそ９ｍｍ前後（レンズ透過位置において）下を見ることとなるため近用入り口は遠用アイポイントよりもかなり下方（９ｍｍより下方）とすることが望ましい。本実施の形態１では近用入り口Ｑ１は遠用アイポイントＥ１の１４ｍｍ下方に設定した。近用度数測定位置Ｑ２は近用入り口Ｑ１よりもわずかに下方に設定される。